(57)【要約】【課題】  音楽の楽曲データを簡単に車載機に蓄積可能とする。【解決手段】  ネットワーク２を介して音楽の楽曲データを配信する音楽配信サーバ３と、車両４に搭載され、前記ネットワーク２を介して前記音楽配信サーバ３から楽曲データの配信を受ける車載機５と、音楽を再生可能に構成されると共に、当該音楽を特定するための音楽情報を保持する携帯機器６とを備え、前記車載機５が、音楽情報を前記携帯機器６から通信により取得し、当該音楽情報に対応する音楽の楽曲データの配信を前記音楽配信サーバ３に要求して、当該楽曲データの配信を受ける構成とした。【選択図】      図１
2006113417.tif 000002
【特許請求の範囲】
【請求項１】
ネットワークを介して音楽の楽曲データを配信する音楽配信サーバと、
車両に搭載され、前記ネットワークを介して前記音楽配信サーバから楽曲データの配信を受ける車載機と、
音楽を再生可能に構成されると共に、当該音楽を特定するための音楽情報を保持する携帯機器とを備え、
前記車載機が、
音楽情報を前記携帯機器から通信により取得し、当該音楽情報に対応する音楽の楽曲データの配信を前記音楽配信サーバに要求して、当該楽曲データの配信を受ける
ことを特徴とする音楽購入システム。
【請求項２】
前記車載機は、前記携帯機器にて再生されている音楽の購入を指示する音楽購入指示を受けた場合に、当該音楽の音楽情報を前記携帯機器から通信により取得する
ことを特徴とする請求項１に記載の音楽購入システム。
【請求項３】
前記車載機は、前記楽曲データの配信に伴う料金の決算のための個人情報を保持し、
前記音楽配信サーバは、前記車載機に対して楽曲データを配信する場合、前記個人情報を前記車載機から受信し、当該個人情報に基づいて課金処理を実行する
ことを特徴とする請求項１または２に記載の音楽購入システム。
【請求項４】
車両に搭載され、ネットワークを介して音楽配信サーバから音楽の楽曲データの配信を受け、当該楽曲データを格納する車載機であって、
音楽を再生可能に構成されると共に、当該音楽を特定するための音楽情報を保持する携帯機器から通信により前記音楽情報を取得し、当該音楽情報に対応する音楽の楽曲データの配信を前記音楽配信サーバに要求して当該楽曲データの配信を受ける
ことを特徴とする車載機。
【請求項５】
前記携帯機器にて再生されている音楽の購入を指示する音楽購入指示を受けた場合に、当該音楽の音楽情報を前記携帯機器から通信により取得する
ことを特徴とする請求項４に記載の車載機。
【請求項６】
前記音楽購入指示を、操作子の操作、或いは、音声入力により可能にしたことを特徴とする請求項５に記載の車載機。
【請求項７】
前記携帯機器から音楽情報を取得したとき、当該音楽情報に対応する楽曲データを、既に格納されている楽曲データから検索し、該当する楽曲データが存在する場合には、ユーザに対して報知する
ことを特徴とする請求項５乃至６のいずれかに記載の車載機。
【請求項８】
前記携帯機器から前記音楽情報を通信により取得した場合に、
前記ネットワークに接続するためのアクセスポイントのうち、通信可能なアクセスポイントを探索し、
通信可能なアクセスポイントが存在する場合に、当該アクセスポイントを介して前記音楽配信サーバに対して前記楽曲データの配信を要求すると共に、
通信可能なアクセスポイントが存在しない場合には、前記携帯機器から取得した音楽情報を一旦保持し、通信可能なアクセスポイントが見つかったときに、保持していた音楽情報に基づいて、前記音楽配信サーバに対して前記楽曲データの配信を要求する
ことを特徴とする請求項５乃至７のいずれかに記載の車載機。
【請求項９】
前記携帯機器と有線により通信することを特徴とする請求項５乃至８のいずれかに記載の車載機。
【請求項１０】
前記携帯機器と無線により通信することを特徴とする請求項５乃至８のいずれかに記載の車載機。
【請求項１１】
ハードディスク装置を備え、前記楽曲データを前記ハードディスク装置に格納することを特徴とする請求項５乃至１０のいずれかに記載の車載機。
【請求項１２】
車両に搭載され、ネットワークを介して音楽配信サーバから音楽の楽曲データの配信を受け、当該楽曲データを格納する車載機の制御方法であって、
音楽を特定するための音楽情報を保持する携帯機器から通信により前記音楽情報を取得し、当該音楽情報に対応する音楽の楽曲データの配信を前記音楽配信サーバに要求して当該楽曲データの配信を受ける
ことを特徴とする車載機の制御方法。
【請求項１３】
車両に搭載され、ネットワークを介して音楽配信サーバから音楽の楽曲データの配信を受け、当該楽曲データを格納する車載機の制御プログラムであって、
前記車載機を、
音楽を特定するための音楽情報を保持する携帯機器から通信により前記音楽情報を取得する手段、及び、
前記音楽情報に対応する音楽の楽曲データの配信を前記音楽配信サーバに要求して当該楽曲データの配信を受ける手段
として機能させることを特徴とする制御プログラム。
【請求項１４】
請求項１３に記載の制御プログラムが記録されたコンピュータ読み取り可能な記録媒体。
【請求項１５】
音楽を再生可能に構成されると共に、当該音楽を特定するための音楽情報を保持する携帯機器であって、
車両に搭載され、ネットワークを介して音楽配信サーバから音楽の楽曲データの配信を受け、当該楽曲データを格納する車載機と通信可能に構成され、前記車載機からの要求に応じて前記音楽情報を前記車載機に送信することを特徴とする携帯機器。
【請求項１６】
ハードディスク装置を備え、前記ハードディスク装置に複数の音楽の楽曲データを格納可能に構成されたことを特徴とする請求項１５に記載の携帯機器。
【発明の詳細な説明】
【技術分野】
【０００１】
本発明は、車両に搭乗したユーザが楽曲データを簡単に購入可能とするための技術に関する。
【背景技術】
【０００２】
近年、多数の楽曲データを格納すると共に、これらの楽曲データを再生可能に構成された車載機が知られている。この種の車載機では、ユーザが光ディスク等の記録媒体に記録された楽曲データを車載機に転送するなどして、車載機に楽曲データを格納するようにしている（例えば、特許文献１参照）。
【特許文献１】特開２００１−１５５４１１号公報
【発明の開示】
【発明が解決しようとする課題】
【０００３】
しかしながら、ユーザは、車載機に楽曲データを格納するために、所望の楽曲データが予め記録された記録媒体を容易しておく必要があり、車載機への楽曲データの格納のための手順が面倒という問題があった。
【０００４】
特に、ポータブル音楽再生機器などの携帯機器で音楽を再生している際に、車載機に格納しておきたいと思う音楽が再生された場合、ユーザは、その音楽の情報（例えば、曲名やアーティスト名等）を記憶するか、或いは、メモを取る等した後に、その記憶やメモを頼りに、所望の音楽が記録されたＣＤなどの光ディスクを購入したり、或いは、インターネットを用いた音楽配信サービスを利用して家庭のパーソナルコンピュータに音楽をダウンロードして所望の音楽を購入し、後日、音楽の楽曲データが記録された記録媒体を車内に持参して、車載機に格納するといった手順を踏まねばならず、使い勝手が悪い、といった問題があった。
【０００５】
本発明は、上述した事情に鑑みてなされたものであり、音楽の楽曲データを簡単に車載機に格納することのできる音楽購入システム、車載機、当該車載機の制御方法、当該車載機の制御プログラム、当該制御プログラムを記録した記録媒体、及び、携帯機器を提供することを目的とする。
【課題を解決するための手段】
【０００６】
上記目的を達成するために、本発明は、ネットワークを介して音楽の楽曲データを配信する音楽配信サーバと、車両に搭載され、前記ネットワークを介して前記音楽配信サーバから楽曲データの配信を受ける車載機と、音楽を再生可能に構成されると共に、当該音楽を特定するための音楽情報を保持する携帯機器とを備え、前記車載機が、音楽情報を前記携帯機器から通信により取得し、当該音楽情報に対応する音楽の楽曲データの配信を前記音楽配信サーバに要求して、当該楽曲データの配信を受けることを特徴とする音楽購入システムを提供する。
【０００７】
また本発明は、上記発明において、前記車載機は、前記携帯機器にて再生されている音楽の購入を指示する音楽購入指示を受けた場合に、当該音楽の音楽情報を前記携帯機器から通信により取得することを特徴とする。
【０００８】
また本発明は、上記発明において、前記車載機は、前記楽曲データの配信に伴う料金の決算のための個人情報を保持し、前記音楽配信サーバは、前記車載機に対して楽曲データを配信する場合、前記個人情報を前記車載機から受信し、当該個人情報に基づいて課金処理を実行することを特徴とする。
【０００９】
上記目的を達成するために、本発明は、車両に搭載され、ネットワークを介して音楽配信サーバから音楽の楽曲データの配信を受け、当該楽曲データを格納する車載機であって、音楽を再生可能に構成されると共に、当該音楽を特定するための音楽情報を保持する携帯機器から通信により前記音楽情報を取得し、当該音楽情報に対応する音楽の楽曲データの配信を前記音楽配信サーバに要求して当該楽曲データの配信を受けることを特徴とする。
【００１０】
また本発明は、上記発明において、前記携帯機器にて再生されている音楽の購入を指示する音楽購入指示を受けた場合に、当該音楽の音楽情報を前記携帯機器から通信により取得することを特徴とする。
【００１１】
また本発明は、上記発明において、前記音楽購入指示を、操作子の操作、或いは、音声入力により可能にしたことを特徴とする。
【００１２】
また本発明は、上記発明において、前記携帯機器から音楽情報を取得したとき、当該音楽情報に対応する楽曲データを、既に格納されている楽曲データから検索し、該当する楽曲データが存在する場合には、ユーザに対して報知することを特徴とする。
【００１３】
また本発明は、上記発明において、前記携帯機器から前記音楽情報を通信により取得した場合に、前記ネットワークに接続するためのアクセスポイントのうち、通信可能なアクセスポイントを探索し、通信可能なアクセスポイントが存在する場合に、当該アクセスポイントを介して前記音楽配信サーバに対して前記楽曲データの配信を要求すると共に、通信可能なアクセスポイントが存在しない場合には、前記携帯機器から取得した音楽情報を一旦保持し、通信可能なアクセスポイントが見つかったときに、保持していた音楽情報に基づいて、前記音楽配信サーバに対して前記楽曲データの配信を要求することを特徴とする。
【００１４】
また本発明は、上記発明において、前記携帯機器と有線により通信することを特徴とする。
【００１５】
また本発明は、上記発明において、前記携帯機器と無線により通信することを特徴とする。
なお、この無線通信としては、例えば、Bluetooth（登録商標）規格に準拠した近距離無線通信を用いることが可能である。
【００１６】
また本発明は、上記発明において、ハードディスク装置を備え、前記楽曲データを前記ハードディスク装置に格納することを特徴とする。
【００１７】
上記目的を達成するために、本発明は、車両に搭載され、ネットワークを介して音楽配信サーバから音楽の楽曲データの配信を受け、当該楽曲データを格納する車載機の制御方法であって、音楽を特定するための音楽情報を保持する携帯機器から通信により前記音楽情報を取得し、当該音楽情報に対応する音楽の楽曲データの配信を前記音楽配信サーバに要求して当該楽曲データの配信を受けることを特徴とする。
【００１８】
上記目的を達成するために、本発明は、車両に搭載され、ネットワークを介して音楽配信サーバから音楽の楽曲データの配信を受け、当該楽曲データを格納する車載機の制御プログラムであって、前記車載機を、音楽を特定するための音楽情報を保持する携帯機器から通信により前記音楽情報を取得する手段、及び、前記音楽情報に対応する音楽の楽曲データの配信を前記音楽配信サーバに要求して当該楽曲データの配信を受ける手段として機能させることを特徴とする。
【００１９】
なお、上記制御プログラムはコンピュータ読み取り可能な記録媒体に記録されて流通し得るものであり、また、例えばインターネット等の電気通信回線を介しても流通し得るものである。
【００２０】
上記目的を達成するために、本発明は、音楽を再生可能に構成されると共に、当該音楽を特定するための音楽情報を保持する携帯機器であって、車両に搭載され、ネットワークを介して音楽配信サーバから音楽の楽曲データの配信を受け、当該楽曲データを格納する車載機と通信可能に構成され、前記車載機からの要求に応じて前記音楽情報を前記車載機に送信することを特徴とする。
【００２１】
また、本発明は、上記発明において、ハードディスク装置を備え、前記ハードディスク装置に複数の音楽の楽曲データを格納可能に構成されたことを特徴とする。
【発明の効果】
【００２２】
本発明によれば、音楽の楽曲データを簡単に車載機に格納することができる。
【発明を実施するための最良の形態】
【００２３】
以下図面を参照して、本発明の実施の形態について説明する。図１は本実施の形態に係る車両用の音楽購入システム１を模式的に示す図である。この図に示すように、音楽購入システム１は、ネットワーク２を介して音楽の楽曲データを配信する音楽配信サーバ３と、車両４に搭載されてネットワーク２を介して音楽配信サーバ３から楽曲データの配信を受ける車載機５と、この車載機５と近距離無線通信可能に構成された携帯機器６とを備えている。
【００２４】
音楽配信サーバ３は、音楽コンテンツ配信業者により管理され、ネットワーク２を介して音楽の楽曲データを配信すると共に、この配信に対する課金処理を行うものであり、多数の楽曲データを曲名やアーティスト名、音楽のジャンル等でデータベース化して格納する楽曲データベース３Ａと、ユーザごとの課金情報を格納する課金データベース３Ｂとを備えている。音楽配信サーバ３は、車載機５からの音楽購入要求に応じて、音楽の楽曲データを楽曲データベース３Ａから読み出し、ネットワーク２を介して車載機５に配信する。
【００２５】
また、音楽配信サーバ３は、楽曲データの配信前、或いは、配信後に、車載機５に対して音楽配信に伴う課金処理を実行する。より詳しくは、音楽配信サーバ３は、決算のための個人情報を車載機５から受信し、この個人情報に基づいて決算処理を行う。具体的には、この個人情報には例えばクレジットカード番号などが含まれており、音楽配信サーバ３は、車載機５から個人情報を受信した場合、その個人情報と、今回の音楽配信に伴う料金とを対応付けて課金データベース３Ｂに格納し、その後、所定の決済処理により、料金の決済を行う。なお、この課金方法としては、クレジットカード番号を用いていの処理に限らず、任意の課金方法を用いることができる。
【００２６】
図２は、車載機５の機能的構成を示すブロック図である。この図において、制御部５０は、車載機５の各部の動作を中枢的に制御するものであり、制御・演算手段としてのＣＰＵや、ＣＰＵのワークエリアとして用いられるＲＡＭ、ＣＰＵにより実行される制御プログラムや各種データを格納するＲＯＭ等を備えている。
【００２７】
ホットスポット用通信Ｉ／Ｆ部５１は、ネットワーク２に設けられたホットスポット２Ａとの通信インターフェースである。ホットスポット２Ａは、建物や駐車場、信号機、道路標識などに配設され、ホットスポット用通信Ｉ／Ｆ部５１と近距離無線通信によりデータを送受信することで、ネットワーク２へのアクセスポイントとして機能する。したがって、車載機５は当該ホットスポット２Ａと近距離無線通信することでネットワーク２を介して上記音楽配信サーバ３と通信可能となる。
【００２８】
ここで、車両４が走行する等して、車両位置が変わった場合には、車両周辺に存在する通信可能なホットスポット２Ａを探索する必要がある。車両周辺に存在するホットスポット２Ａの探索のための構成について詳述すると、車載機５は、図示せぬＧＰＳ（Global Positioning System）から現在の車両位置を取得する現在位置取得手段（図示せず）と、ホットスポット２Ａの設置位置が示された地図データ（図示せず）とを備え、車両４の現在位置に基づいて、車両４の周辺に存在するホットスポット２Ａを地図データから検索する。なお、車載機５が、上記現在位置取得手段と地図データとを備える構成に限らず、カーナビゲーション装置を車載機５と通信可能に構成し、車載機５がカーナビゲーション装置から現在位置や地図データを取得する構成としても良い。
【００２９】
入力Ｉ／Ｆ部５２は、車載機５に設けられた操作スイッチ等から各種操作入力を取得し、制御部５０に出力するものである。また、出力Ｉ／Ｆ部５３は、制御部５０の制御の下、液晶パネル等の表示装置に表示データを出力したり、或いは、スピーカ装置等の音声出力装置に対して音声信号を出力するものである。なお、カーステレオ等の外部機器に出力Ｉ／Ｆ部５３を通じて音声信号を出力し、当該外部機器に再生音を出力させることも可能である。
【００３０】
再生部５４は、制御部５０の制御の下、後述する記憶部５６に格納された楽曲データを再生して再生信号を出力Ｉ／Ｆ５２に出力するものであり、これにより、出力Ｉ／Ｆ５２に接続されたスピーカ装置や外部機器から音楽の再生音が出力される。
【００３１】
携帯機器通信Ｉ／Ｆ部５５は、上記携帯機器６と通信するためのインターフェースであり、本実施の形態では、例えばBluetooth規格等の近距離無線通信規格に準拠した無線通信装置を備え、当該近距離無線通信により、携帯機器６との間で通信する。なお、携帯機器６との通信は無線通信に限らず、例えばシリアル通信方式等を用いた有線通信とすることも可能である。
【００３２】
記憶部５６は、各種データやプログラムなどを記憶するものであり、HDD（ハードディスク装置）などの比較的容量の大きな記憶装置を備えている。記憶部５６は、楽曲蓄積エリア５６Ａ、購入音楽リスト保持エリア５６Ｂ、及び、決算用データ保持エリア５６Ｃを有する。楽曲蓄積エリア５６Ａは、多数の楽曲データを格納して蓄積しておくためのエリアである。楽曲蓄積エリア５６Ａに蓄積される楽曲データとしては、上記音楽配信サーバ３から配信された楽曲データや、車載機５に設けられた図示せぬ記録媒体読取部から読み取った楽曲データ等がある。記録媒体としては、ＣＤやＤＶＤ等の光ディスクやメモリカードなどの半導体メモリといった適宜の記録媒体を用いることができる。
【００３３】
音楽購入リスト保持エリア５６Ｂは、ユーザが購入を希望する音楽の情報（以下、音楽情報と称する）をリスト化した音楽購入リストを記憶するためのものである。本実施の形態では、音楽情報として、曲名及びアーティスト名が用いられ、この音楽情報が上記携帯機器６から取得可能になされている。
【００３４】
具体的には、上記携帯機器６は、音楽を再生可能な携帯型の機器であり、少なくとも再生中の音楽の上記音楽情報を保持している。車載機５は、ユーザによる音楽購入のための指示入力が入力Ｉ／Ｆ部５２から入力された場合、携帯機器６で再生中の音楽の音楽情報を、携帯機器通信Ｉ／Ｆ部５５を介して取得し、音楽購入リストに登録する。すなわち、ユーザが車内で携帯機器６を用いて音楽を再生しているときに、その音楽が気に入る等して、その音楽を車載機５に蓄積しておきたいと思った場合、車載機５に対して、音楽購入のための指示入力（例えば音楽購入のための操作ボタン操作）を行えば、その音楽の音楽情報が音楽購入リストに登録される。後に詳述するように、音楽情報が音楽購入リストに登録された場合、車載機５は、この音楽購入リストに基づいて音楽配信サーバ３から楽曲データを受信し、これにより、その楽曲データが上記楽曲蓄積エリア５６Ａに蓄積されることになる。
【００３５】
なお、本実施の形態では、音楽情報として、曲名及びアーティスト名を用いることとしたが、これに限らず、ユーザが購入を希望する音楽が一意に特定できる情報であれば、アルバム名や音楽ジャンル、作詞者、作曲者等の任意の情報を用いることができる。また、音楽購入のための操作入力としては、操作ボタン等の操作子に対する操作の他に、例えば「購入」或いは「欲しい」といった音声を認識する音声認識を用いることもできる。
【００３６】
決算用データ保持エリア５６Cは、音楽配信サーバ３から楽曲データの配信を受けた際に、当該配信の料金を決算するための情報を記憶するためのものであり、本実施の形態では、クレジットカード番号を含む個人情報が保持されている。
なお、音楽配信サーバ３が、予め登録した会員にのみ音楽配信サービスを提供する場合には、決算用データ保持エリア５６Ｃに、会員番号（登録ＩＤ）や、暗証番号（或いはパスワード）などを含む個人情報を記憶しても良い。さらに、現在までに、どの程度の配信を受けたかの確認を容易とすべく、楽曲データの購入履歴を記憶部５６に格納しておくようにしても良い。
【００３７】
また、本実施の形態では、上記記憶部５６に、楽曲蓄積エリア５６Ａ、購入音楽リスト保持エリア５６Ｂ、及び、決算用データ保持エリア５６Ｃの３つのエリアを設ける構成としたが、これらの他にも、記憶部５６に各種データやプログラムを記憶するためのエリアを設けるようにしても良いことは勿論である。また、例えば楽曲蓄積エリア５６Ａだけを、購入音楽リスト保持エリア５６Ｂ、及び、決算用データ保持エリア５６Ｃが設けられた記憶装置と異なる記憶装置に設けるといったように、複数の記憶装置にて記憶部５６を構成しても良いことも勿論である。
【００３８】
次いで、上記携帯機器６の構成について詳述する。図３は、携帯機器６の機能的構成を示すブロック図である。上述したように、携帯機器６は、例えばポータブル音楽再生機器等の音楽を再生可能な携帯型の機器であり、図３に示すように、制御部６０と、ＰＣ通信Ｉ／Ｆ部６１と、車載機通信Ｉ／Ｆ部６２と、楽曲データ格納部６３と、音楽再生出力部６４と、操作部６５と、表示部６６とを備えている。
制御部６０は本携帯機器６の各部を中枢的に制御するものであり、制御・演算手段としてのＣＰＵや、当該ＣＰＵのワークエリアとして用いられるＲＡＭ、当該ＣＰＵにより実行される制御プログラムを格納するＲＯＭなどを備えている。
【００３９】
ＰＣ通信Ｉ／Ｆ部６１は、図示せぬパーソナルコンピュータ（ＰＣ）との通信インターフェースであり、有線通信或いは無線通信によりＰＣと通信する。
また、車載機通信Ｉ／Ｆ部６２は、上記車載機５との通信インターフェースであり、車載機５の携帯機器通信Ｉ／Ｆ部５５と同様に、例えばBluetooth（登録商標）等の近距離無線通信規格に準拠した無線通信装置を備え、当該近距離無線通信により、車載機５との間で通信する。
なお、車載機５の携帯機器通信Ｉ／Ｆ部５５の通信方式が有線通信である場合、当該携帯機器通信Ｉ／Ｆ部５５との通信接続を可能とすべく、携帯機器６の車載機通信Ｉ／Ｆ部６２の通信方式も有線通信となる。また、ＰＣ通信Ｉ／Ｆ部６１及び車載機通信Ｉ／Ｆ部６２を１つにまとめて、ＰＣ及び車載機５と通信可能な通信インターフェースを構成しても良い。
【００４０】
楽曲データ格納部６３は、多数の楽曲データを格納するものであり、例えばＨＤＤ（ハードディスク装置）等の比較的容量の大きな記憶装置を備えている。この楽曲データ格納部６３に格納される楽曲データは、主に、携帯機器６がＰＣからＰＣ通信Ｉ／Ｆ部６１を介して受信した楽曲データである。このとき楽曲データ格納部６３には、楽曲データと、この楽曲データの音楽情報が対応付けて格納される。
【００４１】
音楽再生出力部６４は、制御部６０の制御の下、楽曲データ格納部６３に格納されている楽曲データを再生し、図示せぬスピーカ装置、或いは、本携帯機器６に接続された図示せぬヘッドフォンに対して再生音声信号を出力するものである。
操作部６５は、操作スイッチ等の複数の操作子を備え、音楽再生や停止のための各種操作が可能となっている。
表示部６６は、制御部６０の制御の下、再生中の楽曲データと対応付けられた音楽情報に基づいて曲名やアーティスト名などを表示するものであり、例えば液晶表示装置などを備えている。
【００４２】
次いで、車両用の音楽購入システム１の動作について図４を参照して説明する。図４は、音楽購入処理を示すフローチャートである。ユーザが携帯機器６にて現在再生されている音楽を音楽配信サーバ３から購入して車載機５に蓄積することを希望する等して、車載機５に対して操作子を操作して音楽購入の購入指示入力を行った場合、図４に示すように、車載機５は、購入指示入力を検出し（ステップＳ１）、携帯機器６に対して音楽情報送信要求を送信する（ステップＳ２）。
【００４３】
携帯機器６は、車載機５から音楽情報送信要求を受信すると（ステップＳ３）、現在再生中の楽曲データに対応付けられている音楽情報を車載機５に対して送信する（ステップＳ４）。車載機５は、音楽情報を携帯機器６から受信した場合（ステップＳ５）、その音楽情報を記憶部５６に格納されている音楽購入リストに登録するのに先立って、その音楽情報に基づいて、記憶部５６の楽曲蓄積エリア５６Ａを検索し、その音楽情報に対応する楽曲データが既に存在するか否かを判断する（ステップＳ６）。楽曲データが楽曲蓄積エリア５６Ａに既に存在する場合（ステップＳ６：ＹＥＳ）、車載機５は、出力Ｉ／Ｆ部５３に、その旨を示す報知信号を出力し、ユーザに対して、購入希望の音楽が既に蓄積されていることを音声或いは表示により報知し（ステップＳ７）、音楽の購入処理を終了する。これにより、ユーザが既に購入している音楽を重複して購入してしまうのを防止可能となる。
【００４４】
上記ステップＳ６の判断の結果、購入希望の音楽が記憶部５６の楽曲蓄積エリア５６Ａに蓄積されていない場合（ステップＳ６：ＮＯ）、車載機５は、ステップＳ５にて携帯機器６から受信した音楽情報を、記憶部５６に格納されている音楽購入リストに登録し（ステップＳ８）、この音楽購入リストに基づいて音楽配信サーバ３から楽曲データの配信を受けるべく、次の処理を行う。
【００４５】
すなわち、車載機５は、音楽配信サーバ３と通信接続を確立すべく、車両４の現在位置に基づいてホットスポット２Ａを探索し、車両周辺に通信可能なホットスポット２Ａが存在するか否かを判断する（ステップＳ９）。通信可能なホットスポット２Ａが無い場合（ステップＳ９：ＮＯ）、車載機５は、通信可能なホットスポット２Ａを見つけるべく、処理手順をステップＳ９に戻し、ホットスポット２Ａの探索を再度実行する。このように、通信可能なホットスポット２Ａが見つかるまで探索する構成とすることで、通信可能なホットスポット２Ａが存在する場所に車両４をわざわざ移動させなくとも、車両走行中に最寄りのホットスポット２Ａを見つけ出し、通信接続を確立することができる。
【００４６】
さて、通信可能なホットスポット２Ａが存在する場合（ステップＳ９：ＹＥＳ）、車載機５は、このホットスポット２Ａ及びネットワーク２を介して音楽配信サーバ３と通信接続を確立した後、音楽配信サーバ３に対して楽曲データの配信を要求すべく、音楽購入要求を送信する（ステップＳ１０）。この音楽購入要求には、音楽購入リストに登録された音楽情報と、決算用データ保持エリア５６Ｃに格納されている個人情報とが含まれており、音楽配信サーバ３は、かかる音楽購入要求を受信すると（ステップＳ１１）、この音楽購入要求に含まれた音楽情報に対応する楽曲データを、楽曲データベース３Ａから読み出して、車載機５に対して配信する（ステップＳ１２）。その後、音楽配信サーバ３は、楽曲データの配信に伴い発生する料金の課金処理を実行する（ステップＳ１３）。すなわち、音楽配信サーバ３は、音楽購入要求に含まれている個人情報に基づいて、音楽購入者（ユーザ）のクレジットカード番号と、今回の楽曲データの配信料金とを対応付けて課金データベース３Ｂに登録する。これにより、後に、クレジットカード番号に基づいた所定の決算処理により、配信料金の決算が行われる。
【００４７】
さて、車載機５は、音楽配信サーバ３から楽曲データの配信を受けると（ステップＳ１４）、その楽曲データを記憶部５６の楽曲蓄積エリア５６Ａに格納する（ステップＳ１５）。このとき、車載機５は、楽曲データがどのような音楽であるかを識別可能とすべく、楽曲データと音楽情報とを対応付けて楽曲蓄積エリア５６Ａに格納する。以上の処理により、音楽配信サーバ３からの音楽購入のための終了動作が終了し、このようにして楽曲蓄積エリア５６Ａに蓄積された楽曲データは、ユーザの指示、或いは、車載機５に接続された外部機器の要求に応じて再生されることになる。
【００４８】
なお、車載機５が音楽配信サーバ３から配信された楽曲データを受信中に、車両４がホットスポット２Ａから遠ざかるなどして、音楽配信サーバ３との通信が途絶えた場合には、車載機５は、処理手順をステップＳ９に戻し、通信可能なホットスポット２Ａの探索から再度やり直し、音楽配信サーバ３からの楽曲データの受信を行う。
【００４９】
以上説明したように、本実施の形態によれば、車載機５が、音楽情報を携帯機器６から通信により取得し、当該音楽情報に対応する音楽の楽曲データの配信を音楽配信サーバ３に要求して、当該楽曲データの配信を受けるようにしたため、ユーザは、楽曲データが記録された記録媒体を予め用意せずとも、車載機５に楽曲データを簡単に格納し蓄積させることができる。
【００５０】
また本実施の形態によれば、車載機５は、携帯機器６にて再生されている音楽の購入を指示する音楽購入指示を受けた場合に、当該音楽の音楽情報を携帯機器６から通信により取得するようにしたため、ユーザが携帯機器６にて現在再生されている音楽を車載機５に蓄積したい場合には、操作子の操作、或いは、音声入力により車載機５に対して、音楽購入指示を与えるだけで、所望の音楽の音楽情報が車載機５に取得され、その音楽が音楽配信サーバ３から配信される。これにより、ユーザは、煩雑な操作をすることなく、車両４に搭乗しながら、簡単に所望の音楽を車載機５に格納して蓄積させておくことができる。
【００５１】
また本実施の形態によれば、車載機５は、楽曲データの配信に伴う料金の決算のための個人情報を保持し、音楽配信サーバ３は、車載機５に対して楽曲データを配信する場合、個人情報を車載機５から受信し、当該個人情報に基づいて課金処理を実行するようにしたため、ユーザは、楽曲データの配信サービスを受ける際に、個人情報などを特に入力する必要がなく、簡単に配信サービルを受けることができる。
【００５２】
また本実施の形態によれば、車載機５は、携帯機器６から音楽情報を取得したとき、当該音楽情報に対応する楽曲データを、既に蓄積されている楽曲データから検索し、該当する楽曲データが存在する場合には、ユーザに対して報知するようにしたため、ユーザが既に購入している音楽を重複して購入してしまうのが防止される。
【００５３】
また本実施の形態によれば、車載機５が、携帯機器６から音楽情報を通信により取得した場合に、ネットワーク２に接続するためのホットスポット２Ａのうち、通信可能なホットスポット２Ａを探索し、通信可能なホットスポット２Ａが存在する場合に、当該ホットスポット２Ａを介して音楽配信サーバ３に対して楽曲データの配信を要求すると共に、通信可能なホットスポット２Ａが存在しない場合には、通信可能なホットスポット２Ａが見つかったときに、音楽購入リストに登録された音楽情報に基づいて、音楽配信サーバ３に対して前記楽曲データの配信を要求するようにしたため、通信可能なホットスポット２Ａが存在しない場合には、通信可能なホットスポット２Ａが存在する場所まで車両４をわざわざ移動させなくとも、車両走行中に最寄りのホットスポット２Ａを見つけ出し、楽曲データを音楽配信サーバ３から受信することができる。
【００５４】
なお、上述した実施の形態は、あくまでも本発明の一態様を示すものであり、本発明の範囲内で任意に変形可能である。
【００５５】
例えば、上述した実施の形態では、通信可能なホットスポット２Ａが車両４の周辺に存在するか否かに拘らず、音楽購入リストに音楽情報を登録する構成としたが、これに限らない。すなわち、通信可能なホットスポット２Ａが存在する場合は、音楽情報を音楽購入リストに登録することなく、音楽配信サーバ３に対して楽曲データの配信を要求し、また、通信可能なホットスポット２Ａが存在しない場合にのみ、音楽情報を音楽購入リストに登録することで、購入予定の音楽情報を保持するようにし、通信可能なホットスポット２Ａが見つかったときに、その音楽購入リストに登録されている音楽情報の楽曲データをまとめて音楽配信サーバ３から受け取るようにしても良い。
【００５６】
また例えば、上述した実施の形態では、車載機５は、ホットスポット２Ａを介してネットワーク２に接続し音楽配信サーバ３と通信する構成について例示したが、これに加えて、例えば、携帯電話機などの移動体通信網を介して、音楽配信サーバ３と通信可能に構成しても良い。この構成においては、移動体通信網を利用する際に、一般的に、通信料金が発生するため、車両４の走行経路上に通信可能なホットスポット２Ａが無い場合にのみ、移動体通信網を利用する構成とするのが望ましい。なお、ホットスポット２Ａと移動体通信網のいずれを優先的に利用するかを、ユーザが選択可能に構成しても良い。
【図面の簡単な説明】
【００５７】
【図１】本発明の実施の形態に音楽購入システムを模式的に示す図である。
【図２】車載機の機能的構成を示すブロック図である。
【図３】携帯機器の機能的構成を示すブロック図である。
【図４】音楽購入システムの動作を示すフローチャートである。
【符号の説明】
【００５８】
１  音楽購入システム
２  ネットワーク
２Ａ  ホットスポット（アクセスポイント）
３  音楽配信サーバ
５  車載機
６  携帯機器
５０  制御部
５２  入力Ｉ／Ｆ部
５３  出力Ｉ／Ｆ部
５５  携帯機器通信Ｉ／Ｆ部
５６  記憶部
５６Ａ  楽曲蓄積エリア
５６Ｂ  購入音楽リスト保持エリア
５６Ｃ  決算用データ保持エリア
６３  楽曲データ格納部
【図１】
2006113417.tif 000003
【図２】
2006113417.tif 000004
【図３】
2006113417.tif 000005
【図４】
2006113417.tif 000006